Podtech/llm-jp-corpus-v4-ja_patent huggingface dataset:
(57)【要約】      （修正有）【課題】転倒スイッチを持ち歩く時の揺れ、振動、傾斜に反応させず、転倒したときに通電する携帯用転倒スイッチとして懐中電灯、防犯ブザーに利用出来るようにする。【解決手段】電極部１と電極部４の中間に絶縁部２を設けて通電質の顆粒部３が移動できる空間を空け、その中に顆粒部３を配置する。この配置により、顆粒部３は、持ち歩く時の揺れ、振動、傾斜による過剰反応はなく、横向けに転倒したときもしくは倒立したとき、二つの電極部間を通電させる。【選択図】図１
2006302854.tif 000002
【特許請求の範囲】
【請求項１】
転倒スイッチを揺れや振動、傾斜に反応させない為に、二つの電極部の中間に通電質の顆粒を用い、転倒したとき通電質の顆粒が移動して、二つの電極に触れて通電するようにした携帯用転倒スイッチ。
【発明の詳細な説明】
【技術分野】
【０００１】本発明は、通電質の顆粒状のものを電極部に用い、転倒に反応させ、揺れ、振動、傾斜に反応させないようにして、転倒スイッチを携帯用に利用できるようにしたものである。
【背景の技術】
【０００２】従来からの転倒スイッチは、振り子、球体のオモリを使用して、転倒、揺れ、振動、傾斜した時、据え置いた機器の電源を切断するものだった。
【特許文献】特許公開１０−１２１０６  特許電子図書館
【特許文献】特許公開９−２５１８２８  特許電子図書館
【特許文献】実用新案公開６−４６２５７  特許電子図書館
【特許文献】特許公開２００３−３６７７４  特許電子図書館
【特許文献】特許公開１１−１３４９８５  特許電子図書館
【特許文献】特許公開６−１９６０５９  特許電子図書館
【特許文献】特許公開１０−１２１０６  特許電子図書館
【特許文献】特許公開９−１０６７４４  特許電子図書館
このような転倒スイッチは、据え置いて使う給湯、暖房機、温水器が振動、揺れ、傾斜、転倒した時、安全対策の為、電源を切断、運転を停止させるものだった。
振動、揺れ、傾斜の多い持ち歩くものに、利用出来るものではなかった。
【発明の開示】
【発明が解決しようとする課題】
【０００３】従来からの転倒スイッチは、振り子や球体のオモリによって転倒に限らず、揺れ、振動傾斜にも反応する為、携帯用転倒スイッチとして、使えるものではなかった。
携帯用転倒スイッチは、頻繁に蹴る、投げる、落とす、叩いて転倒させても損傷しないシンプルでコンパクトで頑強な構造が求められていた。
【課題を解決する為の手段】
【０００４】携帯用転倒スイッチには、揺れ、振動、傾斜に対して反応が鈍い顆粒を使用し、持ち歩く時の揺れ、振動、傾斜による過剰反応をなくしたものである。
本発明は、二つの電極部と絶縁部を固定して設け、その電極部の空間の中に通電質の顆粒を配置し、電極部を転倒させたとき、二つの電極部間を通電質の顆粒が移動するように、空間を空けたものである。
電極部と絶縁部を固定して設けた中に通電質の顆粒を配置したシンプルな構造により、頑強でローコスト、コンパクトな携帯用転倒スイッチを提供出来るものである。
【発明の効果】
【０００５】このようにすれば、持ち歩く時の揺れ、振動、傾斜に反応せず、横向けに転倒させた時、電源が入り、倒立させると電源が切れる携帯用転倒スイッチとなる。
この携帯用転倒スイッチを防犯ブザー、懐中電灯に利用すると押しボタンやスライド、ダイヤルスイッチが上手く使えない、手が不自由な時でも、横向けに倒して電源スイッチが入る為、速やかに容易に扱えるものである。
【発明を実施する為に最良の形態】
【実施例１】
【０００６】本発明は、電極部１と絶縁部２を挟んで電極部４を設け、電極部の中の空間に通電質の顆粒３が、移動できる空間を空けて設け、配置したものである。
電極部１、４が転倒、倒立することにより、通電質の顆粒部３が、二つの電極部に接触したり、離れたりして、電流が通電質の顆粒を通じて、電極間を通電、切断する携帯用転倒スイッチである。
【産業上の利用可能性】
【０００７】本発明は、転倒に反応しても、揺れ、振動、傾斜に反応しない携帯用転倒スイッチを懐中電灯、報知器に用い、緊急事に横向けに倒して構えることにより、懐中電灯を点灯させたり、報知器が鳴らすことが出来るものである。
電源スイッチが、押しボタン、スライド、ダイヤルスイッチのように指先の細かい操作では、手の不自由な方は、困難だったが、事故、病気、事件などの緊急事態に、携帯用スイッチ式の報知器を、倒すだけで速やかに対処出来るスイッチである。
【図面の簡単な説明】
【０００８】
【図１】転倒スイッチの倒立している状態の断面図である。
【図２】転倒スイッチの転倒している状態の断面図である。
【図３】転倒スイッチの逆転している状態の断面図である。
【符号の説明】
【０００９】１  電極部
２  絶縁部
３  顆粒部
４  電極部
【図１】
2006302854.tif 000003
【図２】
2006302854.tif 000004
【図３】
2006302854.tif 000005
(57)【要約】【課題】ＩＨヒーターでは、陶磁器や耐熱ガラスなどの非電磁誘導素材の鍋を加熱することが不可能であるという難点を解決するため、ＩＨヒーターと非電磁誘導素材の鍋の間に電磁誘導素材の板を挿入し、電磁誘導素材の板を加熱することにより間接的に非電磁誘導素材の鍋を加熱する。【解決手段】ＩＨヒーター５と非電磁誘導素材の鍋４の間に電磁誘導素材の板１を挿入する。ＩＨヒーター５により電磁誘導素材の板１を加熱し、加熱された電磁誘導素材の板１の熱から非電磁誘導素材の鍋４を加熱できるようにする。【選択図】図２
2006302855.tif 000002
【特許請求の範囲】
【請求項１】
ＩＨヒーターで、陶磁器や耐熱ガラスなどの非電磁誘導素材の鍋を加熱することができるようにＩＨヒーターと非電磁誘導素材の鍋の間に電磁誘導素材の板を挿入し、電磁誘導素材の板を加熱することにより間接的に非電磁誘導素材の鍋を加熱する。
【発明の詳細な説明】
【技術分野】
【０００１】本発明は、ＩＨ（電磁誘導加熱）ヒーターで非電磁誘導素材の鍋を加熱するためにＩＨヒーターにより電磁誘導加熱素材の板を加熱し、加熱された板の熱から非電磁誘導素材の鍋を加熱できるようにしたものである。
【背景技術】
【０００２】従来は、ＩＨヒーターを使用して非電磁誘導素材の鍋を加熱させるための機器は存在しなかった。
【発明の開示】
【発明が解決しようとする課題】
【０００３】ＩＨヒーターでは、陶磁器や耐熱ガラスなどの非電磁誘導素材でできた鍋を加熱することが不可能であるという難点があった。本発明は、この課題を解消するためになされたものである。
【課題を解決するための手段】
【０００４】ＩＨヒーター５と非電磁誘導素材の鍋４の間に電磁誘導素材の板１を挿入する。
ＩＨヒーター５により電磁誘導素材の板１を加熱し、加熱された電磁誘導素材の板１の熱から非電磁誘導素材の鍋４を加熱できるようにしたものである。
【発明の効果】
【０００５】ＩＨヒーター５でも、陶磁器や耐熱ガラスなどの非電磁誘導素材の鍋４を加熱することが可能になる。調理中は取っ手を外し、調理直後の熱せされた電磁誘導素材の板１の移動には取っ手を取り付けて行う。
【実施例１】
【０００６】（イ）電磁誘導素材から電磁誘導素材の板１を作成する。
（ロ）取っ手取り付け部２の部分に取って本体３を差し込める穴をあける。
【図面の簡単な説明】
【０００７】
【図１】本発明の正面図である。
【図２】本発明の使用状態を示す断面図である。
【符号の説明】
【０００８】１  電磁誘導素材の板
２  取って取り付け部
３  取って本体
４  非電磁誘導素材の鍋
５  ＩＨヒーター
【図１】
2006302855.tif 000003
【図２】
2006302855.tif 000004
(57)【要約】【課題】  本発明が解決しようとする課題は、曲線にフィットした美しい曲線を縁取る照明器具の需要は在るのに器具自体が無く、衝撃に強い照明器具を提供することである。【手段】本発明の発光ダイオードチューブ照明装置は複数の発光ダイオードをほぼ同一方向になるように一面を取り外した軽金属性のケースの中に配置し、その軽金属性のケースを複数個電源コードで接続した外側をポリカーボネートやシリコンチューブ等でカバーした変形可能で衝撃に強い構造を特徴とする。【選択図】図１
2006302803.tif 000002
【特許請求の範囲】
【請求項１】
本発明は複数の発光ダイオードをほぼ同一方向になるように一面を取り外した軽金属性のケースの中に配置し、その軽金属性のケースを複数個電源コードで接続した外側をポリカーボネートやシリコンチューブ等でカバーした変形可能で衝撃に強い構造を特徴とする発光ダイオードチューブ照明装置である。
【発明の詳細な説明】
【技術分野】
【０００１】
本発明は、発光ダイオードチューブ照明装置に関する。
【背景技術】
【０００２】
近年、省電力で発熱のなく輝度の高い発光ダイオードを使用した照明装置も色々考案されている。発光ダイオードの進歩は著しいが、発光ダイオードを複数個使用した電球においては、５ｍの距離で１０ルクスの明るさを計測できる発光ダイオード電球は販売されていない。
【発明の開示】
【発明が解決しようとする課題】
【０００３】
本発明が解決しようとする課題は、従来の照明装置は電球・蛍光灯を含めて直管式や    サークライン等の蛍光灯や電球等、数種類の形状の物しかなく、出窓や店舗のショーケース等の曲線にフィットした美しい曲線を縁取る照明器具の需要は在るのに器具自体が無かった。また、店舗のショーケースにおいては展示物の入れ替えの際に器物転倒による照明器具の破損が非常に多く怪我や掃除におわれている現状がある。
【課題を解決するための手段】
【０００４】
本発明の発光ダイオードチューブ照明装置は複数の発光ダイオードをほぼ同一方向になるように一面を取り外した軽金属性のケースの中に配置し、その軽金属性のケースを複数個電源コードで接続した外側をポリカーボネートやシリコンチューブ等でカバーした変形可能で衝撃に強い構造を特徴とする。
【発明の効果】
【０００５】
本発明の発光ダイオードチューブ照明装置は複数の発光ダイオードを軽金属性のケース内に設置することで外界からの衝撃に強く、尚且つ器具等を使用せず、望する形状に変形
させることが出来るので様々な大きさの円形・弓形・螺旋状の照明装置を製作できる。
また、軽金属でカバーしその外側をポリカーボネートやシリコンチューブ等で覆ってあるので多少の衝撃で破損することは無く、水にも強いので屋外や水中でも使用できる。
【発明を実施するための最良の形態】
【０００６】
本発明の発光ダイオードチューブ照明装置は複数の発光ダイオードをほぼ同一方向になるように一面を取り外した軽金属性のケースの中に配置し、その軽金属性のケースを複数個電源コードで接続した外側をポリカーボネートやシリコンチューブ等でカバーした変形可能で衝撃に強い構造を特徴とする。
【実施例】
【０００７】
以下、本発明の実施例について図面を用いて説明する。
図１に示す本発明の試作電球においては、軽金属性のケース１に複数個の発光ダイオード２をほぼ同一方向になるように配置しており、電源コード４により各軽金属性のケース１は接続競れている。また、これ等の軽金属性のケース１はポリカーボネートやシリコンチューブ等３の内部に収納されている。
【０００８】
図２は本発明の部分断面説明図であり、斜線部の軽金属性のケース１に発光ダイオード２が設置してあり、電源コード４により通電発光し軽金属性のケース１の外周はポリカーボネートやシリコンチューブ等３の内部に収納されている。
【０００９】
図３は曲線状に曲げた本発明の説明図である。
【産業上の利用可能性】
【００１０】
本発明の複数個の発光ダイオードチューブ照明装置は、狭所への設置や局面・円形・螺旋状の照明器具を製作できるこれからの照明装置である。また、防水性が高く衝撃に強いので建築物の外壁や庭園等のライトアップ、バッテリーを内蔵したキャンプ用広角照明として使用できる。
【図面の簡単な説明】
【００１１】
【図１】本発明の斜視図である。
【図２】本発明の部分断面説明図である。
【図３】本発明の曲線状態の説明図である。
【符号の説明】
【００１２】
１    軽金属性のケース
２    口金発光ダイオード
３    ポリカーボネートやシリコンチューブ等
４    電源コード
【図１】
2006302803.tif 000003
【図２】
2006302803.tif 000004
【図３】
2006302803.tif 000005
(57)【要約】【課題】業務日報用データを素材中に多重して伝送することで、業務日報を自動作成でき作業量を大幅に減少させる。また、素材に多重するデータ量を増やすことで、様々なデータを伝送することができるようにする【解決手段】伝送するデジタル素材のアンシアリ領域に業務日報に必要なデータを多重し、その素材を伝送した後、放送局にて多重したデータを抽出することにより、業務日報を自動で作成できるようにする。また、多重するデータのヘッダ部分にカウントアップデータを付けることで多重するデータ量を増やす。【選択図】図１
2006287391.tif 000002
【特許請求の範囲】
【請求項１】
ＳＤＩ（Serial Digital Interface）信号のブランキング期間に定められたアンシアリ（補助）データ領域を用い、ＦＰＵ等を用いた素材伝送業務の業務日報を作成するためのデータを伝送するデジタル素材伝送。
【請求項２】
請求項１に記載のアンシアリデータ領域に多重するデータにおいて、データ量を多くするために多重データのヘッダにカウントアップデータを乗せ、１フレーム分のデータ量×素材フレーム数のデータを伝送する方法。
【発明の詳細な説明】
【技術分野】
【０００１】
本発明は、中継車やお天気カメラ等、遠隔地から放送局へのＦＰＵによる素材伝送に関し、特にデジタル素材の伝送を扱うデジタルＦＰＵを用いての素材伝送に関する。
【背景技術】
【０００２】
番組等に用いる素材の伝送業務では、素材を伝送する送信側が、伝送した素材の「素材長」、「素材ＩＤ」、「番組名」や、収録・伝送した「日付」、「時間」、伝送に使用したＦＰＵ装置の「機器ＩＤ」等を受信側である放送局への連絡とし、業務日報を作成する。従来は、これらのデータの連絡は電話等を用いていた。また、従来でも、ＴＭＣＣと呼ばれるデータ領域にデータを多重することができた。図２は、従来技術におけるデジタル素材伝送の概略系統図である。
【特許文献１】発見されていない。
【発明の開示】
【発明が解決しようとする課題】
【０００３】
従来技術のままでは、多くの素材を伝送するときには業務日報用に多量のデータを電話等口頭で伝えなくてはならず、現地での作業量が多くなってしまう。またデータを受け取った放送局側でも、それらを紙に起こす作業が必要となり、中継が多いときには大変な作業量となっていた。更に、従来技術であるＴＭＣＣによるデータ伝送も、ＴＭＣＣ領域が７５ｂｉｔしかないため、「機器ＩＤ」程度しか（ＡＳＣＩＩ７文字程度）伝送することができなかった。
【０００４】
この発明は、前記した２種類の従来技術の課題に鑑みたものであり、その目的は業務日報用データを素材中に多重して伝送することで、業務日報を自動作成でき作業量を大幅に減少させることにある。また、素材に多重するデータ量を増やすことで、様々なデータを伝送することができるようにすることにある。
【課題を解決するための手段】
【０００５】
前記した目的を達成するために、本発明では、伝送するデジタル素材のアンシアリ領域に業務日報に必要なデータを多重し、その素材を伝送した後、放送局にて多重したデータを抽出することにより、業務日報を自動で作成できるようにする点に主たる特徴がある。また、多重するデータのヘッダ部分にカウントアップデータを付けることで多重するデータ量を増やすことができる点も特徴である。
【発明の効果】
【０００６】
以上の説明のように、本発明によれば、素材に多重されたデータにより、業務上必須となる業務日報の作成が自動で行えるため、送信側、受信側ともに作業量を軽減することができる。また、限られたデータ範囲でもカウントアップを増やしていくことで必要なデータ量を得ることができる。
【発明を実施するための最良の形態】
【０００７】
以下、本発明の実施の形態について説明する。図１は本発明のデジタル素材伝送における実施の形態を示す概略系統図である。ＳＤＩ信号であるデジタル素材をデジタルＦＰＵ１０３にて伝送する前に、アンシアリインサータ１０２を用いてアンシアリデータ領域にデータを多重する。データを多重する領域は規格で定められており、ＳＤＩ信号の垂直ブランキング期間中の「ユーザデータ１」もしくは「ユーザデータ２」の範囲（パケット）への多重を行う。ユーザデータ１パケットおよびユーザデータ２パケットの位置を図３に示した。多重するデータは、業務日報作成に必要な、伝送した素材の「素材長」、「素材ＩＤ」、「番組名」や、収録・伝送した「日付」、「時間」、伝送に使用したＦＰＵ装置の「機器ＩＤ」等である。ＳＤＩ信号のアンシアリ領域中「ユーザデータ１」パケットを１つ使用しただけでも、
２５６（ワード／パケット）×２０（ｂｉｔ／ワード）＝５１２０（ｂｉｔ／パケット）で、従来技術であるＴＭＣＣ領域（７５ｂｉｔ）の約６８倍のデータ量がある。
【０００８】
更に、このアンシアリ領域のデータパケットを広範囲に使用するために、多重するデータのヘッダにカウントアップデータを付加する。アンシアリデータは映像１フレーム中に２パケット存在するため、カウントアップを１ライン毎に行うと、カウントアップ用に２０ｂｉｔのデータを使用したとしても、１秒分のＳＤＩ信号で、
３０（フレーム／秒）×２（パケット／フレーム）×５１００（ｂｉｔ／パケット）＝３０６０００（ｂｉｔ／秒）
で、約３８Ｋｂｙｔｅのデータを伝送することができる計算となる。伝送中にビットエラーが起こることも考えられるため、必要なデータ分だけカウントアップしてデータの多重を行った後、繰り返し同じデータを多重して、受信するデータを比較することで、正しいデータを伝送することができる。
【０００９】
受信側（放送局）には、アンシアリデータを抽出する装置（アンシアリデータ・リーダ１０５）をシステムに組み込んでおく。データの多重された素材をデジタルＦＰＵ１０４にて受信後、アンシアリデータ・リーダに素材を通し、抽出したデータをパソコン１０６等に読み込んで、業務日報を自動で作成する。
【図面の簡単な説明】
【００１０】
【図１】本発明のデジタル素材伝送における実施の形態を示す概略系統図である。
【図２】従来技術におけるデジタル素材伝送の概略系統図である。
【図３】データを多重するＳＤＩ信号中のユーザデータ１もしくはユーザデータ２の位置を示す図である。
【符号の説明】
【００１１】
１０１：素材収録用カメラ         １０２：アンシアリデータ・インサータ
１０３：デジタルＦＰＵ（送信側） １０４：デジタルＦＰＵ（受信側）
１０５：アンシアリデータ・リーダ １０６：業務日報作成用ＰＣ
２０１：素材収録用カメラ         ２０２：デジタルＦＰＵ（送信側）
２０３：デジタルＦＰＵ（受信側） ２０４：連絡用電話
【図１】
2006287391.tif 000003
【図２】
2006287391.tif 000004
【図３】
2006287391.tif 000005
(57)【要約】【課題】ハイビジョン用撮像管を用いたカメラ装置のリンギング補正回路において、ハイゲインを変化させたとき、固定リンギング擬似信号を抽出した際の手間を省くことができるようにすることを目的とする。【解決手段】ハイビジョン処理前の映像信号に存在するリンギング擬似信号を抽出する手段と、抽出したリンギング擬似信号を保持する手段と、保持したリンギング擬似信号を元の映像信号に減算してリンギング擬似信号を除去した映像信号を得る手段を用いる。【選択図】図１
2006287392.tif 000002
【特許請求の範囲】
【請求項１】
カメラ装置の映像信号に存在するリンギング擬似信号を抽出する手段と、抽出したリンギング擬似信号を保持する手段と、保持したリンギング擬似信号を元の映像信号に減算してリンギング擬似信号を除去した映像信号を得る手段により構成したことを特徴とするリンギング補正回路。
【発明の詳細な説明】
【技術分野】
【０００１】
本発明は、カメラ装置に存在する映像信号のリンギング擬似信号を除去する回路に関するものである。
【背景技術】
【０００２】
例えば、ハイビジョン用カメラ装置では、撮像管の駆動回路の影響により、撮像する光が全くない状態でも、映像信号に特有のリンギング擬似信号が発生する。高品位の映像信号を抽出するためにはこのリンギング擬似信号を除去する必要がある。この問題を解決するための従来の方法を説明する。
【０００３】
動作方法はオートブラック処理の過程でリンギング擬似信号を抽出して、１フレームの画像データをメモリし、保持した画像データを元の映像信号に減算して固定パターンノイズを除去する手段である。しかしノイズキャンセル回路はディジタル信号処理なのでＡ／Ｄ変換後に処理する必要があるため、ハイゲイン後の映像信号からリンギング擬似信号を抽出せざるをえなかった。このため、ハイゲインの量を変えると、リンギング擬似信号の除去が不完全になってしまうため、ハイゲインの量を変えると、リンギング擬似信号の除去が不完全となってしまうため、ハイゲインを変化させたときは、新たにリンギング擬似信号の抽出をし直す手間がかかるという問題がある。
【特許文献１】発見されていない。
【発明の開示】
【発明が解決しようとする課題】
【０００４】
前述の従来技術では、ハイゲインの量を変えると、リンギング擬似信号の除去が不完全になってしまうため、ハイゲインを変化させたときは、新たに固定リンギング擬似信号を抽出し直す手間がかかるという欠点があった。本発明はこの欠点を解決するため、ハイゲイン処理前の映像信号からリンギング擬似信号を抽出してリンギング擬似信号を除去する回路の実現を目的とする。
【課題を解決するための手段】
【０００５】
本発明では、上記目的を達成するため、ハイゲイン処理前の映像信号に存在するリンギング擬似信号を抽出する手段と、抽出したリンギング擬似信号を保持する手段と、保持したリンギング擬似信号を元の映像信号に減算してリンギング擬似信号を除去した映像信号を得る手段を用いる。
【発明の効果】
【０００６】
以上のように本発明を用いると、ハイゲインの量とは無関係にリンギング擬似信号が無い安定した画像を得ることができる。
【発明を実施するための最良の形態】
【０００７】
本発明の実施例を第１図により説明する。ディジタルカメラ装置の回路は撮像管から出力するアナログの映像信号をハイゲイン処理し、Ａ／Ｄ変換してＤＴＬ／ガンマ／ニーの必要な処理をディジタルで処理し、Ｄ／Ａコンバータでアナログ信号に変換して映像信号を出力する処理に加えて固定パターンノイズを抽出するＡ／Ｄコンバータと、ランダムのノイズ成分のみを除去するフィルタと、１フレーム分の画像データを保持できるメモリと、Ｄ／Ａコンバータから構成される。
【０００８】
動作方法は、オートブラック処理の過程でリンギング擬似信号がある映像信号をＡ／Ｄ変換し、ディジタルフィルタでランダムノイズを除去した後、１フレーム分の映像データをフレームメモリで保持する。そして保持した１フレームの映像データを逐次読み出してＤ／Ａ変換した信号を、減算器で、元の映像信号から減算して、リンギング擬似信号を除去して得られた映像信号から、ハイゲイン処理してＡ／Ｄ変換し、ＤＴＬ／ガンマ／ニー処理をした後、Ｄ／Ａ変換して必要な映像信号を得る。更に、ＤＳＰ処理前にある後段のリンギング補正回路によって、ハイゲイン時に前段のリンギング補正で除去できなかった微小のリンギング擬似信号を完全に除去する。
【０００９】
図３に示すように、ランダムノイズに重畳されたリンギング擬似信号（ａ）をディジタルフィルタでリンギング擬似信号（ｂ）のみを抽出し、１フレーム分の映像信号をフレームメモリに保持して、減算器で元の信号と減算し、ランダムノイズ成分（ｃ）だけが残る。この処理により、後段のハイゲインの量にかかわらず、常にリンギング擬似信号が除去された状態を保つことができる。
【図面の簡単な説明】
【００１０】
【図１】本発明の一実施例であるリンギング補正回路を示す回路図。
【図２】従来の一例であるリンギング補正回路を示す回路図。
【図３】本発明の一実施例であるリンギング補正回路でのリンギング擬似信号除去動作を示す波形図。
【符号の説明】
【００１１】
１：入力端子                     ２、７：Ａ／Ｄコンバータ
３、１１：ディジタルフィルタ     ４、１２：フレームメモリ
５、９：Ｄ／Ａコンバータ         ６：ハイゲイン回路
８：ＤＳＰ（画像処理）           １０：出力端子
１３、１４：減算器               
【図１】
2006287392.tif 000003
【図２】
2006287392.tif 000004
【図３】
2006287392.tif 000005
(57)【要約】【課題】  ファクシミリ持つ複合装置において、ハンドセットの本体からの出っ張りをなくし小型化すること。また、装置左右側の壁付けを可能にすること。【解決手段】  装置下部には記録紙を装置前後方向に搬送しながら画像を記録するプリンタ部を設け、プリンタ部の上部には載置された原稿の画像を読み取るためのリーダ部を設け、リーダ部手前側には操作部を設け、電話、ファクシミリのためのハンドセットを操作部もしくはリーダ部の裏面に配置したことを特徴とする。【選択図】  図１
2006287783.tif 000002
【特許請求の範囲】
【請求項１】
装置下部には記録紙を装置前後方向に搬送しながら画像を記録するプリンタ部を設け、プリンタ部の上部には載置された原稿の画像を読み取るためのリーダ部を設け、前記リーダ部手前側には操作部を設け、電話、ファクシミリのためのハンドセットを設けた画像形成装置において、
前記リーダ部はプリンタ部に支持されており、前記ハンドセットを操作部もしくはリーダ部の裏面に配置したことを特徴とする画像形成複合装置。
【請求項２】
前記装置構成において、前記ハンドセットは弾性部材で落下しないように保持されていることを特徴とする請求項１記載の画像形成複合装置。
【請求項３】
前記装置構成において、前記ハンドセットは磁石で落下しないように保持されていることを特徴とする請求項１記載の画像形成複合装置。
【発明の詳細な説明】
【技術分野】
【０００１】
本発明は、複写機、ファクシミリ、ＭＦＰ等の画像形成装置に関する。
【背景技術】
【０００２】
従来例として、プリンタと原稿読み取り部をもった複合機としてレーザプリンタをもったＭＦＰについて説明する。図４に示すように、ハンドセット１４は装置手前、もしくは左右に配置されていて、本体から飛び出していた（例えば、特許文献１参照）。
【特許文献１】特開平１０−１１７２６３号公報
【発明の開示】
【発明が解決しようとする課題】
【０００３】
図４において、本体からハンドセットが出っ張っているため近年のウィングレスＭＦＰ装置の小型化の妨げとなるという問題があった。
【課題を解決するための手段】
【０００４】
上記問題を解決するため、本発明は、装置下部には記録紙を装置前後方向に搬送しながら画像を記録するプリンタ部を設け、プリンタ部の上部には載置された原稿の画像を読み取るためのリーダ部を設け、前記リーダ部手前側には操作部を設け、電話、ファクシミリのためのハンドセットを設けた画像形成装置において、前記リーダ部はプリンタ部に支持されており、前記ハンドセットを操作部もしくはリーダ部の裏面に配置したことを特徴とする。
【発明の効果】
【０００５】
本発明によれば、ハンドセットを操作部またはリーダ部の裏面に配置することによって、装置本体からの飛び出しをなくすことができる。これにより、装置を飛躍的に小型化できるとともに、装置左右側の壁付けが可能となる。
【発明を実施するための最良の形態】
【０００６】
以下に図面を参照して、本発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【０００７】
まず、図１〜２に本発明に従って構成した画像形成装置の一例としてプリンタ機能、ブック原稿を読取り複写を行う複写機能、読み取った原稿を通信するファクシミリ機能を合わせ持った多機能複合機（以下、ＭＦＰと呼ぶ）を取り上げる。ここで、図１は本発明のＭＦＰを右斜め前から見た斜視図であり装置全体の概要を示している。図２はＭＦＰを右側からみた装置断面図である。
【０００８】
（全体概略説明）
図１〜２を参照してＭＦＰ全体の概略を説明する。図１〜２において、２は操作部、３はフラットベットスキャナで原稿台ガラス上に置かれた原稿を読み取るものである。本実施形態では、ＣＣＤを用いた縮小光学系を内蔵したＣＣＤボックスを用いている。４は原稿を１枚づつ分離搬送し読み取る自働給紙装置である。５はレーザービームプリンタからなる記録装置部である。６はカセット給紙部であり、記録紙が収納されている。
【０００９】
（本実施形態の特徴となる構成の説明）
次に本実施形態の特徴となる構成について説明する。図１〜２に示すように、ハンドセット１を操作部の裏面に配置している。そうすることにより、本体からハンドセットが飛び出さないようにしている。また、ハンドセットが飛び出していないため、左右側面の壁付けが可能となっている。本実施例では、操作部の裏面に配置したがフラットベットスキャナ３の裏面でも同様の効果があることは言うまでもない。
【００１０】
次に、ハンドセット１の保持方法について図２を参照して説明する。図２に示すように、ハンドセット１は操作部と１体または操作部に取り付けられた弾性部材１０ａ、１０ｂによって保持されるように構成した。本実施形態では弾性部材によるクリックで保持したが磁石で保持しても同様の効果があることは言うまでもない。
【図面の簡単な説明】
【００１１】
【図１】ＭＦＰを装置右斜め前から見た斜視図。
【図２】ＭＦＰを右側からみた断面図。
【図３】ハンドセットの保持方法図。
【図４】ＭＦＰを装置左斜め前から見た斜視図。
【符号の説明】
【００１２】
１  ハンドセット
２  操作部
３  フラットベットスキャナ
４  自働給紙装置
５  レーザービーム記録部
６  カセット給紙部
１０ａ  弾性部材
１０ｂ  弾性部材
【図１】
2006287783.tif 000003
【図２】
2006287783.tif 000004
【図３】
2006287783.tif 000005
【図４】
2006287783.tif 000006
(57)【要約】      （修正有）【課題】  多層板の内層板各層順の確認がＸ線装置のような設備を必要とせず、容易に可能とする多層板の製造方法及びそれを用いた多層板を提供する。【解決手段】  予め回路形成された少なくとも２枚以上の内層板３ａ、３ｂ、３ｃを、その間にプリプレグ２ａ、２ｂ、２ｃを設けて銅箔と積層し金属板間に挿入し、加熱加圧して多層化接着する多層板の製造方法において、各内層板に内層板基板端部までそれぞれ位置をずらした回路４ａ、４ｂ、４ｃを設けて配置し、銅箔と積層成形後において基板の端部断面から内層板の層順を確認可能であることを特徴とする多層板の製造方法及びそれを用いた多層板。【選択図】  図２
2006287130.tif 000002
【特許請求の範囲】
【請求項１】
予め回路形成された少なくとも２枚以上の内層板を、その間にプリプレグを設けて銅箔と積層し金属板間に挿入し、加熱加圧して多層化接着する多層板の製造方法において、各内層板に内層板基板端部までそれぞれ位置をずらした回路を設けて配置し、銅箔と積層成形後において基板の端部断面から内層板の層順を確認可能であることを特徴とする多層板の製造方法。
【請求項２】
回路形成された内層板の基板端部に、多層化接着する各内層板それぞれに位置をずらした回路を基板端部まで設けて配置し、それら各基板を加圧して銅箔と積層成形後において、基板の端部断面から内層板の層順を確認可能であることを特徴とする多層板。
【発明の詳細な説明】
【技術分野】
【０００１】
本発明は、多層板の製造方法及びそれを用いた多層板に関する。
【背景技術】
【０００２】
多層板において、多層化接着される内層板の積層順は、各内層板の任意の位置に設けられた回路をＸ線を投射し、その回路画像の濃淡により判別可能であったが、多層化の層数が増加する、または、最外層に接着化される銅箔の厚みが厚くなるに従い、回路画像の濃淡での判別が困難となりうる。
【発明の開示】
【発明が解決しようとする課題】
【０００３】
請求項１記載の発明は、多層板の内層板各層順の確認がＸ線装置のような設備を必要とせず、容易に可能とする多層板の製造方法を提供するものである。請求項２記載の発明は、多層化される内層板の層順を容易に確認可能な多層板を提供するものである。
【課題を解決するための手段】
【０００４】
本発明は次の発明に関する。
（１）予め回路形成された少なくとも２枚以上の内層板を、その間にプリプレグを設けて銅箔と積層し金属板間に挿入し、加熱加圧して多層化接着する多層板の製造方法において、各内層板に内層板基板端部までそれぞれ位置をずらした回路を設けて配置し、銅箔と積層成形後において基板の端部断面から内層板の層順を確認可能であることを特徴とする多層板の製造方法。
（２）回路形成された内層板の基板端部に、多層化接着する各内層板それぞれに位置をずらした回路を基板端部まで設けて配置し、それら各基板を加圧して銅箔と積層成形後において、基板の端部断面から内層板の層順を確認可能であることを特徴とする多層板。
【発明の効果】
【０００５】
請求項１記載の多層板の製造方法は、内層板各層順の確認がＸ線装置のような設備を必要とせず、容易に可能とする多層板を得られる。
【発明を実施するための最良の形態】
【０００６】
まず、前記の本発明の多層板の製造方法について、詳述する。各内層板の層順を確認する回路は、多層板の外形基板サイズ以上の範囲まで配し、多層板外形切断後で端部に露出するように配置する。各内層板には位置関係が明確となるよう基準となる内層板の回路と１〜１mm程度回路長を変化させ、規則性を持たせ各内層板ごとにずらして配置すると多層板端部から容易に確認し易い。
【０００７】
各内層板に配置する回路は、電気的にプリント配線板に与える影響を考え、本来の多層板機能を担う回路とは干渉しないように配置することが望ましい。
【実施例】
【０００８】
本発明においては、多層板の各内層板の層順を容易に確認可能とするため、各内層回路板に位置をずらした回路を基板端部に露出するよう配置する。配置は、基準となる内層板から規則性を持って配置することが望ましい。
【図面の簡単な説明】
【０００９】
【図１】（ａ）と（ｂ）は、いずれも、本発明の一実施例を説明するための説明図であり、積層構成を示すための斜視図である。
【図２】端部に内層板の層順を確認するための回路が露出されている多層板の一例を示した断面図である。
【図３】内層板の層順に誤りのある多層板の一例を示した断面図である。
【符号の説明】
【００１０】
１ａ〜１ｂ．銅箔
２ａ〜２ｄ．絶縁
３ａ〜３ｃ．内層回路板
４ａ〜４ｃ．内層回路
５．多層板
【図１】
2006287130.tif 000003
【図２】
2006287130.tif 000004
【図３】
2006287130.tif 000005
(57)【要約】      （修正有）【課題】既に放送されたＴＶ・ラジオの番組を録画・録音していなくても、視聴することができるようにする。【解決手段】番組を放送局と、再配信の契約をし、インターネットを利用し配信を行い、会員が視聴する。【選択図】なし【特許請求の範囲】
【請求項１】
既に放送されたＴＶ・ラジオの番組を、インターネットで配信し、視聴するビジネス
【請求項２】
既に放送されたＴＶ・ラジオの番組を、インターネットで配信し、携帯電話で視聴するビジネス
【請求項３】
既に放送されたＴＶ・ラジオの番組を、インターネットで配信し、テレビで視聴するビジネス
【発明の詳細な説明】
【技術分野】
【０００１】  既に放送されたＴＶ・ラジオの番組の再放送・視聴を業とするビジネスに関する
【背景技術】
【０００２】  従来、既に放送されたＴＶ・ラジオの番組を見たい場合は録画・録音していなければ、視聴することは不可能であった
【発明の開示】
【発明が解決しようとする課題】
【０００３】  本発明は、見たい番組があっても、時間の都合で、視聴できない場合がある
【課題を解決するための手段】
【０００４】  番組を放送局と、再配信の契約をし、インターネットを利用し配信を行い、会員が視聴する
【発明の効果】
【０００５】  時間を気にせず、放送番組を視聴することが出来る
【発明を実施するための最良の形態】
【０００６】  記録媒体に放送日時及び番組を記録し、会員がネット上で検索し、ダウンロードし、視聴する
【実施例】
【０００７】記録媒体に放送日時及び番組を記録し、会員がネット上で検索し、ダウンロードし、視聴する
【産業上の利用可能性】
【０００８】配信側において配信システムの構築、視聴者においては、インターネットで視聴するほか携帯電話に視聴システムの構築、ネットからＴＶへの信号変換機など産業の発展に寄与する
(57)【要約】      （修正有）【課題】携帯電話使用時における、周囲の会話騒音を低減させるための消音会話マスクを提供する。【解決手段】携帯電話に消音会話マスクをコードにて、直結し、消音会話マスクを使用して会話する。マスクによる防音効果により、周囲に漏れる音量も減音出来る。周囲に人がいる状態での会話雑音を低減する事が出来、周囲の人々への迷惑もかなり軽減される事と思われる。【選択図】図１
2006287886.tif 000002
【特許請求の範囲】
【請求項１】
携帯電話使用時において、周囲の人々の騒音迷惑を少しでも減らす為、携帯電話にコードによってつながれた消音会話マスクを利用する会話方法である。
【発明の詳細な説明】
【技術分野】
【０００１】この発明は、携帯電話使用時における、周囲の会話騒音を低減させる為、消音会話マスクを利用した携帯電話会話方法である。
【背景技術】
【０００２】従来の携帯電話は会話する声が直接、周囲の人々に聞こえ、不愉快な思いを周囲の人々にさせていた。
【発明の開示】
【発明が解決しようとする課題】
【０００３】本発明は、周囲に人がいる状態での携帯電話使用時における、会話騒音を低減する事。
【課題を解決するための手段】
【０００４】携帯電話にコードでつながれた消音会話マスクを使用し会話する。
【発明の効果】
【０００５】本発明を使用することによって、従来の携帯電話使用時には、会話による発生音が直接、周囲の人々に聞こえ、迷惑の原因となっていた。この会話マスクを使用する事により、発生音を直接、マスク取付のマイクが拾う為、発生音自体を小声で話す事が出来、又、マスクの防音効果により、周囲に漏れる音量も減音出来る。
又、マナーをもって話している事を周囲の人々に示す事が出来る。
【発明を実施するための最良の形態】
【０００６】以下、本発明の実態の形態について説明する。
従来の携帯電話は耳に携帯のスピーカ部をあて、口で声を発生し、その音を携帯のマイクが拾うものであり、大きな声で話す必要があった。
この消音会話マスクをコードで携帯電話につないで使用すると、声を直接マイクがひろい小声で会話出来る。
【図面の簡単な説明】
【０００７】
【図１】  本発明の全体正面図
【図２】  本発明の全体断面図
【符号の説明】
【０００８】  １  消音会話マスク
２  マイク部
３  携帯電話と会話マスクをつなぐコード
【図１】
2006287886.tif 000003
【図２】
2006287886.tif 000004
(57)【要約】      （修正有）【課題】自動の、２４時間の、大きな発電システム。【解決手段】標準電波（４０ＫＨＺ）を、「アンテナ−コイル−バリコン固定−コイル」の回路で、微羽電流にかえた、微羽電流の＋、−の電荷を用いて、静電モーターのスパークモーターを回す。  又そのさい、輪軸をチェーンでつないだ「輪軸列機」を介在させトルクをふやす。  こうして、電波を、安定した、力強い回転力にかえ、  この回転力で発電機を回す。【選択図】図１
2006287890.tif 000002
【特許請求の範囲】
【請求項１】
共通であるところの、この発電システムにおき、又は一般におき、
アンテナと同調コイルとバリコンとコイルの回路において、バリコンをある周波数に固定した形で、電波から、つまり空間より、２４時間電流をえれる事又はその部
【請求項２】
共通であるところの、この発電システムにおき、又は一般におき、
導線より直接電荷をとって、静電モーターを駆動させる事又はその部
【請求項３】
共通であるところのこの発電システムにおき、又は一般におき、
輪軸を、ベルト又はチェーンで連結したところの、輪軸列機又はその発電システムの部
【発明の詳細な説明】
【分野】
【０００１】電気関係の動力関係
〔従来〕
【００００２】自動の、２４時間の、大きな発電システムはなかった
〔課題〕
【００００３】自動の、２４時間の、大きな発電システム
〔方法〕
【００００４】入力は、標準電波の４０ＫＨｚを電流にかえる
その電気エネルギーで、スパークモーターを駆動させ、その回転で発電機を回す。
更に、輪軸をチェーンで連結した発明により、よりトルクを増殖して、出力をます。
〔実施例〕
【００００５】▲１▼アンテナ−同調コイル−バリコン−コイルの回路におき、バリコンを、公共の、常の標準電波４０〜５０ＫＨＺに固定して、微羽電流つねにえる
2006287890.tif 000003
静電モーターの、スパークモーターを回す。
2006287890.tif 000004
又この段階は、ミニの電磁モーターでも代用可。
▲３▼歯車で、スパークモーターの回転を直交にかえる（遊星歯車等）
▲４▼輪軸を、チェーンで連結した、発明の「輪軸列機」を介在させ、そのトルクを増大させる。「輪軸列き」は輪軸をチェーンで連結し、ベアリングの棒で支えたもの。
▲５▼以上の、スパークモーター−直交歯車−「輪軸列機」の回転力で、発電機の軸を回し、電磁誘導で発電をする
▲６▼その発電力を、インバーターにつなげ、交流で使用しやすいようにする
〔効果〕
【００００６】標準電波は、４０ＫＨＺ位で、公共でつねにある。それにバリコンをあわせれば、アンテナ−コイル−バリコン−コイルの回路で、つねに、微羽電流はえれる
2006287890.tif 000005
駆動できる。又輪軸列機でトルクをませば、つまり、初めの微羽電流でも強く、安定した回転力になる。それで発電機を回せば、電波、つまり空間より、自動的に、２４時間、かなりの発電ができる。又このシステムは規模としても家庭にもおける。屋根でも設置できる。
【図面のかんたんな説明】
〔図面１〕
請求項１に対応するものの概念図。
〔符号の説明〕
１は  アンテナ
２は  同調コイル
３は  バリコン（４０ＫＨＺに固定）
４は  コイル
〔図面２〕
請求項２に対応するものの概念図
2006287890.tif 000006
４は  静電モーターのスパークモーター
〔図面３〕
請求項３に対応するものの概念図
１は  輪軸の１つめ
２は  チェーンの１つめ
３は  輪軸の２つめ
４は  チェーンの２つめ
５は  輪軸の３つめ
６は  ベアリング
７は  支え台
〔図面４〕
全体の、一連のものの、この発電システムの概念図
〔符号の説明〕
１は  アンテナ
２は  同調コイル
３は  バリコン（４０ＫＨＺに固定）
４は  コイル
2006287890.tif 000007
７は  スパークモーター
８は  歯車（直交用）
９は  輪軸列機
１０は  発電き
１１は  インバーター
【図１】
2006287890.tif 000008
【図２】
2006287890.tif 000009
【図３】
2006287890.tif 000010
【図４】
2006287890.tif 000011
【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
共通であるところの、この発電システムにおき又は一般におき、導線より直接電荷をとって、静電モーターを駆動させる事又はその部
【請求項２】
共通であるところのこの発電システムにおき又は一般におき、輪軸を、ベルト又はチェーンで連結したところの、輪軸列機又はその発電システムの部
(57)【要約】      （修正有）【課題】本来の通信機能や音声機能を利用して有効な防犯・防漢・痴漢ストーカー、対処避難機能を発揮することができる緊急音声機能付携帯電話機を提供する。【解決手段】折りたたみ式携帯電話本体の中央部位両サイドに設けたスイッチを押して防犯音、防犯声を鳴るように構成した。暗証番号により防犯音・声の機能の設定と解除が行えると共に、防犯音・声は１０種類設定し録音機能により好みの音・声を設定できる。【選択図】  図１
2006287891.tif 000002
【特許請求の範囲】
【請求項１】
防犯音・声を備えたことを特徴とし、防犯・暴漢・痴漢・ストーカーなどを対処避難機能を有する緊急音声機能付携帯電話機
【請求項２】
携帯電話機本体の折りたたみ式中央部位に設けた左右のスイッチを押すと防犯音・声が機能するよ構成した請求１の防犯、暴漢、痴漢ストーカー対処避難機を有する緊急音声機能付携帯電話機
【請求項３】
暗証番号で設定・解除機能があり必要に応じて使用するよう構成した、防犯、暴漢、痴漢、ストーカー対処避難機能を有する緊急音声付携帯電話機
【請求項４】
防犯音・防犯声は１０種類設定、録音機能を構成した、防犯・暴漢・痴漢・ストーカー対処避難機能を有する緊急音声機能付携帯電話機
【発明の詳細な説明】
【技術分野】
【０００１】この発明は携帯電話機に係わり特に通常の通話機能の他に追加された機能を有する携帯電話機に関するものである
【背景技術】
【０００２】従来の携帯電話機は、着発信通話・メール送受・写真を取るといった機能で使用されていたまた緊急を知らせるためには少なくとも２〜３回程度のボタン操作が必要であったまた携帯型護身防犯具は、数種類あり使用されていた【０００３】なお、この発明に関連する公知技術として次の特許文献１を挙げることができる【０００４】
【特許文献１】特開２００３−６０７５３号公報
【発明の開示】
【発明が解決しようとする課題】
【０００５】上記した従来の携帯電話機では、緊急時にて操作に手間がかかり危険な目に会った時に役にたたなかった、また滅多に使用しない防犯具は常時持ち運ぶには余分の荷物となり不便で忘れがちになりやすかった。【０００６】この発明は上記した点に鑑みてなされたものであって、その目的とするところは、本来の通信機能や音を利用して有効な防犯・暴漢・痴漢・ストーカーまたは、対処避難機能を発揮することができる緊急音声機能付携帯電話機を提供することにある
【課題を解決するための手段】
【０００７】この発明の防犯・暴漢・痴漢・ストーカー対処避難機能を有する緊急音声機能付携帯電話機は、防犯音・防犯声を備えたことを特徴とする【０００８】また、前記した緊急音声機能付携帯電話機において携帯本体の折りたたみ式中央部位に設けた左右のスイッチを押すことによって防犯音声を鳴るよう構成したものである【０００９】また、上記機能を作動させる為には、あらかじめ暗証番号で設定しなければ機能しない、逆に機能している状態でも暗証番号を設定しなければ解除できない所有者本人でなければ使用も解除もできぬよう構成したものである【００１０】また、同携帯電話機において防犯音・防犯声は１０種類設定し録音機能により好みの音・声を設定でき鳴るよう構成したものである
【発明の効果】
【００１１】この発明の緊急音声機能付携帯電話機によれば上記したような防犯・暴漢痴漢・ストーカー対処避難機能を持たせることにより近年多発しているストーカー・痴漢犯罪などを別の防犯具を用いることなく、防止することが可能となる現在携帯電話機は広く普及しており別の防犯具を持ち歩かなくても普段携帯している携帯電話機だけで防犯効果が得られるこの発明の効果は大きいと思われる
【発明を実施するための最良の形態】
【００１２】以下、この発明の実施の形態を図面に基づき詳細に説明する【００１３】図１〜図２は、本発明の第１の実施の形態に係り、図１はその外観の断面図  図２は外観の斜視図である【００１４】図１の（４）が示すように配線が通っていて図１ｂ（２）と電極でつなかるようになっている【００１５】例えば、暴漢やストーカーに襲われそうになった時に、左右に設けた中央部位のスイッチを押すことにより図１（４）と図１ｂ（２）の電極が通がり防犯音や防犯声が鳴動される【００１６】図２外観の斜視図である図２（５）が折りたたみ式携帯電話機の中央部位である図２ｂ（２）部分の左右にスチッチが設けられている本体図（３）内に収納された図示していない駆動回路により防犯音・防犯声が鳴動される
【図面の簡単な説明】
【００１７】
【図１】本発明の第１の実施例である携帯電話機の要部を示す断面図である
【図２】本発明の携帯電話機の示す斜視図である
【符号の説明】
【００１８】ｂ（２）スイッチ    （３）本体    （５）折りたたみ式携帯電話機
（４）電極          中央部位
【図１】
2006287891.tif 000003
【図２】
2006287891.tif 000004
(57)【要約】 【課題】  本発明は、上記課題を解決するために、長いボルトを使用することによりテレビ台の側板部分の強度を増加するとともに、側板内部の補強板にＣ面とリブとを施すことにより、長いボルトが天板から補強板を通して底板のボルト孔に達するためのガイド性を向上する構造を提供することを目的とする。【解決手段】本発明のテレビ台は、天板と側板と底板とを長いボルトを介して接合し、側板内部の補強板にＣ面とリブを設ける構造とした。【選択図】図５
2006287842.tif 000002
【特許請求の範囲】
【請求項１】
天板と、側板と、底板とを、ボルトを介して接合するようにしたテレビ台接合構造であって、
前記側板は、少なくとも１つ以上の補強板を有し、前記補強板はＣ面とリブを形成してなり、
前記ボルトは、前記リブと前記Ｃ面により前記補強板と交差する方向に配向され、前記底板のボルト穴に締着されることを特徴とするテレビ台。
【発明の詳細な説明】
【技術分野】
【０００１】
本発明は長いボルトを使用するとき天板から底板の孔にボルト先端部を容易に到達させることができるテレビ台に関するものである。
【背景技術】
【０００２】
従来、この種の組み立て構造としては、はめ込み式または天板と側板の上部とをボルトを挿通して締着するかの手段によっているのが通例である。
【特許文献１】特開平１０−１０８１０３号公報
【特許文献２】登録実用新案第３０９３１８０号公報
【発明の開示】
【発明が解決しようとする課題】
【０００３】
しかしながら従来の構成ではテレビの大型化に伴ってテレビの重量を支えるテレビ台も大型にする必要があり、さらにテレビの薄型化に伴ってテレビ台の薄型デザインに対応した強度を考慮した観点からの問題解決はなく、こうした課題が依然残っている。
【０００４】
本発明は、上記課題を解決するために、長いボルトを使用することによりテレビ台の側板の強度を増加するとともに、側板内部の補強板にＣ面とリブとを施すことにより、長いボルトが天板から補強板を通して底板のボルト孔に達するためのガイド性を向上する構造を提供することを目的とする。
【課題を解決するための手段】
【０００５】
前記従来の課題を解決するため、本発明のテレビ台は、天板と側板と底板とを長いボルトを介して接合するようにしたものである。すなわち、天板（１０２）と、側板（１０１）と、底板（１０５）とを、ボルト（１０３）を介して接合するようにしたテレビ台接合構造であって、
前記側板は、内部に少なくとも１つ以上の補強板（１０４）を有し、その補強板はＣ面（５０１、６０１）とリブ（５０２、６０２）を形成してなり、
前記ボルトは、前記補強板と交差する方向に配向され、前記Ｃ面と前記リブを設けることにより、前記ボルトが前記補強板を通過する時のガイド性を向上させ、前記天板から前記底板のボルト孔に締着することを特徴とする。
【発明の効果】
【０００６】
以上のように、本発明のテレビ台によれば、天板と側板と底板を長いボルトを介して接合するために強固で確実な取り付け状態を維持でき、側板内部の補強板にＣ面とリブを有することにより天板から各補強板へ、さらには底板へのガイドを容易にすることができる。
【発明を実施するための最良の形態】
【０００７】
（実施の形態１）
図１は本発明の実施の形態１における、テレビ台の正面図である。長いボルト（１０１）で天板（１０３）と側板（１０１）と底板（１０５）とを固定する。その途中で側板内部の補強板（１０４）を経るが、補強板（１０４）がＣ面（５０１）とリブ（５０２）を有することによりガイド性を向上させている。なお、図１では補強板（１０４）が４枚構成となっているが、側板によって１枚以上であればよい。
【産業上の利用可能性】
【０００８】
本発明は長いボルトを使用するとき天板から底板の孔にボルト先端部を容易に到達させることができるテレビ台に適用できる。
【図面の簡単な説明】
【０００９】
【図１】本発明の実施の形態１におけるテレビ台の正面図
【図２】本発明の実施の形態１におけるテレビ台の上面図
【図３】本発明の実施の形態１におけるテレビ台の側面図
【図４】本発明の実施の形態１における側板の補強板の上面図
【図５】本発明の実施の形態１における側板の補強板のＣ面とリブの拡大図の上面図
【図６】本発明の実施の形態１における側板の補強板のＣ面とリブの拡大図の正面図
【符号の説明】
【００１０】
１０１  側板
１０２  天板
１０３  ボルト
１０４  補強板
２０１  側板の上部
２０２  天板
２０３  ボルト
３０１  補強板
３０２  天板
３０３  ボルト
４０１  補強板
４０２  側板
４０３  支持板
５０１  Ｃ面
５０２  リブ
６０１  Ｃ面
６０２  リブ
【図１】
2006287842.tif 000003
【図２】
2006287842.tif 000004
【図３】
2006287842.tif 000005
【図４】
2006287842.tif 000006
【図５】
2006287842.tif 000007
【図６】
2006287842.tif 000008